(57)【特許請求の範囲】
【請求項１】
ズボン等の開放端部の一端に取付けられる雄ホック体と、開放端部の他端に取付けられ、前記雄ホック体と係脱自在に掛止する受止体とからなるウエストサイズ調節具において、
前記雄ホック体（１）は、長手方向に溝（１００）を形成した真鍮製のスライドガイド部材（１０）と、該スライドガイド部材（１０）の長手方向に摺動可能で且つ受止体（２）との掛止手段となる鈎ホック部（１１０）を形成した真鍮製のスライドホック部材（１１）とのみから構成され、
前記真鍮製のスライドガイド部材（１０）は、前記溝（１００）の底部に、所定間隔で列設された丸みを帯びた係合突起（１０１）を有し、
前記スライドホック部材（１１）は、前記溝（１００）内を摺動し、且つ前記係合突起（１０１）に対して係止可能な係合爪（１１１）を形成したことを特徴とするウエストサイズ調節具。
【発明の詳細な説明】
【０００１】
【発明が属する技術分野】
本発明は、主としてズボンやスカート等にウエストサイズ調節用としてウエスト帯に取付けて使用され、これらのサイズを一定範囲で調節可能とするウエストサイズ調節具に関するものである。
【０００２】
【従来の技術】
一般に、ズボンやスカート等（以下、ズボン等という。）のウエスト部は、着脱の便宜のために、ウエスト帯の打合せ部で開閉するようになっている。そして前記打合せ部には、多くの場合、折返し形成した舌状の鈎片を有する雄ホック体と、鈎片を掛止する門形の受止体とを取付け、これら相互の掛止により、所定のウエストサイズを形成するようになっている。
【０００３】
特に、ウエストサイズの調節を可能とするものとして、本出願人は、特開２０００−５０９１３号（以下、先行技術１という。）、特開２００１−８７０１０（以下、先行技術２という。）に開示したように、バネ付勢を利用したウエストサイズ調節具を出願するに至っている。
【０００４】
【発明が解決しようとする課題】
ここで、前記先行技術１は、弾性体を使用したウエストサイズ調節具の基本構成というべきもので、鈎ホックは弾性体を収装する溝を備えたスライドガイド部材と、該スライドガイド部材に摺動し、且つ受止体との掛止手段を備えたスライドホック部材とが、前記弾性体によって相互に圧縮または引っ張りで弾力的に制御される構成を有するものであり、先行技術２は、上記先行技術１の改良発明であり、スライドガイド部材がウエスト形状に沿う曲面状としたウエストサイズ調節具である。
【０００５】
上記先行技術１及び２に係るウエストサイズ調節具においては、着用者が指で操作しないでよい点において、非常に優れたものであり、先行技術２についていえば、違和感も、掛止部分の不用意な外れも招来しない点で、更に優れたものである。
【０００６】
しかしながら、当該先行技術１及び２に係るウエストサイズ調節具はその性質上、コイルバネ等の弾性体の介在が必要であり、当該コイルバネ等は、長年にわたって使用すると、外部からの衝撃により外れや折れを生ずることがあり、耐久性が十分であるとはいえないものであった。
【０００７】
また、前記したように、ウエストサイズの調節はバネ付勢で行われる点において非常に便利であるものの、好みや必要に応じたズボン等のウエストサイズを調節する機能は備えていないものであったため、着用時にズボン等がずり下がることがあった。
【０００８】
また、前記先行技術１及び２に係るウエストサイズ調節具を製造するにあたっては、コイルバネ等を必要とし、これを製造、組立しなければならないことから、製造コストは高いものであった。
【０００９】
本発明は以上の事情に鑑みてなされたものであり、好みどおりのウエストサイズに微調節することが可能で、耐久性にも極めて優れ、更には、非常に廉価で製造することができる極めて有用なウエストサイズ調節具を提供することを課題とするものである。
【００１０】
【課題を解決するための手段】
本発明は、ズボン（ｐ）等の開放端部の一端に取付けられる雄ホック体（１）と、開放端部の他端に取付けられ、前記雄ホック体（１）と係脱自在に掛止する受止体（２）とからなるウエストサイズ調節具において、前記雄ホック体（１）は、長手方向に溝（１００）を形成した真鍮製のスライドガイド部材（１０）と、該スライドガイド部材（１０）の長手方向に摺動可能で且つ受止体（２）との掛止手段となる鈎ホック部（１１０）を形成した真鍮製のスライドホック部材（１１）とのみから構成され、前記真鍮製のスライドガイド部材（１０）は、前記溝（１００）の底部に、所定間隔で列設された丸みを帯びた係合突起（１０１）を有し、前記スライドホック部材（１１）は、前記溝（１００）内を摺動し、且つ前記係合突起（１０１）に対して係止可能な係合爪（１１１）を形成したことを特徴とするウエストサイズ調節具を、課題を解決するための手段とするものである。
【００１１】
【発明の効果】
本発明によれば、スライドガイド部材の溝の底部に、所定間隔で列設された係合突起を有し、前記スライドホック部材が、前記溝内を摺動し、且つ前記係合突起に対して係止可能な係合爪を形成した構成としたことから、係合爪が、溝底面に設けられた係合突起に対して係止可能となる十分な長さを有することで当該係合爪の撓み量が確保され、スライドガイド部材とスライドホック部材との確実な係止及び円滑なスライドが可能となり、好みどおりのウエストサイズの微調節を簡単に行うことができる。
【００１２】
また、本発明においては、上記構成によってウエストサイズ調節具を形成し、コイルバネ等の弾性体を使用せずに、ウエストサイズの調節を行うものとしたことから、外部からの衝撃により外れや折れを生ずることがなく、耐久性を非常に優れたものとすることができる。
【００１３】
更に、本発明によれば、雄ホック体の構成部品点数をスライドホック部材及びスライドガイド部材の二部品のみとすることができることから、原材料費の低廉化と、組立作業の容易化を併せて図ることができ、製造コストを大幅に削減することができる。
【００１４】
また、スライドガイド部材（１０）は、ウエストに沿う湾曲形状となるように、当該スライドガイド部材の長手両端部に至るほど反り上がった形態としたことにより、列設された係合突起が湾曲形状に配列されることとなり、ウエストサイズの微調節をより実効のあるものとすることができる。
【００１５】
更に、スライドホック部材（１１）の構成において、平板部（１１３）の中央部に、プレス成形によって、前記溝（１００）内を摺動し且つ前記係合突起（１０１）に対して係止可能となる係合爪（１１１）を形成し、更に、平板部（１１３）の長手方向中央ラインを折曲線としてＵ字状に湾曲して形成される湾曲側舌片を、受止体が嵌入可能な鈎ホック部（１１０）として形成したことにより、受止体との着脱自在な係止を可能とし、且つ、雄ホック体の微調節可能なスライド機能を具備させることができ、部品点数の増大を招来せず、極めてコンパクトに、高機能な雄ホック体を備えたウエストサイズ調節具を提供することができる。
【００１６】
【発明の実施の形態及び実施例】
図１は本発明の実施例１に係るウエストサイズ調節具を示す斜視図、図２は同実施例１に係るウエストサイズ調節具の分解状態を示す斜視図、図３は同実施例１に係るウエストサイズ調節具におけるスライドホック部材のＡ−Ａ拡大断面図、図４は本発明の実施例２に係るウエストサイズ調節具を示す斜視図、図５は本発明の実施例１に係るウエストサイズ調節具の使用状態を示す参考図である。
【００１７】
本発明の実施例１に係るウエストサイズ調節具は、図１乃至図３に示すように、相互に係脱可能な、いずれもプレス成形で一体に製造される真鍮製の雄ホック体１及び受止体２からなり、図５に示すように、雄ホック体１はズボンｐの袷部外側生地ｐ１の内面側に、受止体は袷部内側生地ｐ２の外面側に、夫々取付けられている。
【００１８】
前記雄ホック体１は、スライドガイド部材１０と該スライドガイド部材１０に対して摺動するスライドホック部材１１とから構成され、受止体２は、生地への固着手段となる固定板２１と、受止爪２０とから構成される。
【００１９】
ここで、雄ホック体１を構成するスライドガイド部材１０は、長さ２７ｍｍ程度、幅１２ｍｍ程度の大きさで、当該スライドガイド部材１０全体の形状は、使用者のウエストに沿う湾曲形状となるように、溝１００の両端部に至るほど反り上がった形態を有するものとしており、長手方向に伸びる２本のガイド縁１０２、１０２間に溝１００を形成し、溝１００の両端部には、生地に対する取付手段となる長さ５ｍｍ程度の取付爪１０３・・・１０３を夫々２本ずつ垂下した構成を有している。
【００２０】
また、前記溝１００の底面には、奥行２ｍｍ幅の係合突起１０１・・・１０１が３．５ｍｍピッチで押し出し成形により、６本配列された構成となっている。当該係合突起１０１・・・１０１は、係合爪１１１を常時完全にロックするものではなく、プレス成形の押し出しによって全体に丸みを帯びた形状としていることから、雄ホック体１と受止体２とを取外した状態で、スライドホック部材１１を指でスライドさせると、係合爪１１１が当該係止している係合突起１０１を乗り越えることができるものとしている。
【００２１】
一方、前記スライドガイド部材１０に対してスライドするスライドホック部材１１は、前記スライドガイド部材１０におけるガイド縁１０２を抱え込むための抱え込み端部１１２、１１２を平板部１１３の両側端に形成し、当該平板部１１３の中央部には、プレス成形によって、前記溝１００内を摺動し且つ前記係合突起１０１に対して係止可能となる係合爪１１１を形成し、更に、平板部１１３の長手方向中央ラインを折曲線としてＵ字状に湾曲して形成される湾曲側舌片を、受止体が嵌入可能な鈎ホック部１１０として形成した構成を有する。
【００２２】
前記スライドガイド部材１０のガイド縁１０２、１０２を、スライドホック部材１１の抱え込み端部１１２、１１２に通した後、前記ガイド縁１０２、１０２の端部を変形させて抜止部１０４、１０４を形成することによって、雄ホック体１が完成する。
【００２３】
ここで、前記係合爪１１１は、溝１００の底面に設けられた係合突起１０１・・・１０１に対して係止可能となる長さを有することで、十分な係合爪１１１の撓み量が維持されることとなり、前記係合突起１０１・・・１０１の丸みを帯びた形状と相俟って、スライドガイド部材１０に対してスライドホック部材１１を指でスライドさせる際に、円滑なスライド及び確実な係止が確保されることとなる。
【００２４】
また、本発明の実施例１に係るウエストサイズ調節具の通常着用状態においては、腹圧が鈎ホック部の上面に対して略垂直に働くため、スライドホック部材１１がスライドガイド部材１０に押しつけられることとなり、不用意にスライドホック部材１１のスライドが生じないものとなっている。
【００２５】
以上の構成によって、ズボンｐ等のウエストサイズの調節を行う場合には、指で雄ホック体１のスライドホック部材１１をスライドさせることで、調節することができる。
【００２６】
また、本実施例１においては、上記したように、奥行２ｍｍ幅の係合突起１０１・・・１０１が３．５ｍｍピッチで押し出し成形により６本配列された構成としており、従って、当該係合突起１０１、１０１間には夫々約２ｍｍの隙間が形成されており、その一方で０．８ｍｍ程度の厚みを有する係合爪１１１がこの隙間に入り込んで係止することで、係合突起１０１、１０１間には、実質的に約１．２ｍｍ程度の範囲で遊びが形成されている。
【００２７】
当該遊びを形成することで、着用者の僅かな動作等によってスライドホックへの負荷が働いた場合にも、不用意に、拡大方向へスライドホックがスライドすることを防止している。
【００２８】
一方、図４に示した実施例２に係るウエストサイズ調節具においては、実施例１に係るウエストサイズ調節具と比べて、係止時の遊びの寸法を短くして、より細かいピッチでウエストサイズの調節を可能としたものである。本実施例２によれば、実施例１と比べてより無段階に近い調節を行うことができる。
【００２９】
尚、本発明においては、上記実施例１及び２に限られるものではなく、係合突起１０１の数や大きさ、ピッチ等は適宜変更設定することができる。
【図面の簡単な説明】
【図１】  本発明の実施例１に係るウエストサイズ調節具の雄ホック体を示す斜視図である。
【図２】  本発明の実施例１に係るウエストサイズ調節具を示す分解斜視図である。
【図３】  本発明の実施例１に係るウエストサイズ調節具におけるＡ−Ａ断面におけるスライドホック部材と、スライドホック部材に掛止した状態での受止爪の位置を示す拡大説明図である。
【図４】  本発明の実施例２に係るウエストサイズ調節具を示す斜視図である。
【図５】  本発明の実施例１に係るウエストサイズ調節具の使用状態を示す参考図である。
【符号の説明】
１        雄ホック体
１０      スライドガイド部材
１００    溝
１０１    係合突起
１０２    ガイド縁
１０３    取付爪
１０４    抜止部
１１      スライドホック部材
１１０    鈎ホック部
１１１    係合爪
１１２    抱え込み端部
１１３    平板部
２        受止体
２０      受止爪
２１      固定板
ｐ        ズボン
【図１】
0004103103.tif 000002
【図２】
0004103103.tif 000003
【図３】
0004103103.tif 000004
【図４】
0004103103.tif 000005
【図５】
0004103103.tif 000006